(57)【要約】      （修正有）【課題】清掃ロボットからデブリを取り除くためのシステム、装置及び方法を提供する。【解決手段】ロボット床清掃システム１０は、移動型床清掃ロボット１００の清掃ビン１２２からデブリを排出させる排出真空部を有する排出ステーション２００を有し、排出ステーション２００のデブリキャニスタ２０４の充満状態をデブリセンサ２２８からのフィードバックに基づいて判断するステーションコントローラと、無線通信システムを備えることで、デブリキャニスタが満杯であるときに排出真空部の作動を阻止し、通信システムを介して携帯機器に排出ステーションの作動状態を表示できる。【選択図】図１
2020168428.tif 000002
【特許請求の範囲】
【請求項１】
移動型床清掃ロボット（１００、１００’）であって、
前記ロボットを床面上で移動させる少なくとも一つの駆動車輪（１４２ａ、１４２ｂ）を備えるシャーシ（１０２）と、
前記ロボット内に配置され、清掃中に該ロボットによって取り込まれたデブリを受けるよう配置された清掃ビン（１２２、１２２’、１２２”）と、
モータ（１１９）及び該モータに連結されたファン（１９５）を備え、前記ロボットの底面にある開口（１０９、１０９’）から前記清掃ビン内にデブリを引き込む空気の流れを生成するよう構成されたロボット真空部（１２０）と、
を備える移動型床清掃ロボットと、
前記ロボットの前記清掃ビンからデブリを排出させるよう構成された排出ステーション（２００、２００’）であって、
プラットフォーム（２０６、２０６’）を規定するハウジング（２０２、２０２’）であって、前記ロボットの前記底面にある前記開口が該プラットフォームに規定された吸引開口（２１６）と整列する位置に該清掃ロボットを受けるよう該プラットフォームが配置された、ハウジングと、
前記吸引開口と流体連通し、該吸引開口を通して前記排出ステーションハウジングに空気を引き込む、排出真空部（２１２）と、
を備える排出ステーションと、
を備え、
前記床清掃ロボットは、該ロボット内に配置され、前記排出ステーションの前記真空部の動作に応答して自動的に閉じるよう構成された一方向空気流バルブ（１８６）を更に備え、
前記空気流バルブは、前記ロボット真空部を前記清掃ビンの内部と接続する空気路（１３２）に配置された、
ロボット床清掃システム（１０、１０’）。
【請求項２】
前記空気流バルブ（１８６）は、該空気流バルブが閉位置にある状態において前記ファン（１９５）が前記清掃ビン（１２２、１２２’、１２２”）の内部から実質遮断されるよう、前記ロボット（１００、１００’）内に位置し、及び／又は前記排出真空部（２１２）の作動によって、逆方向空気流が該清掃ビンを通過し、該清掃ビンから、前記吸引開口（２１６）を通して、前記排出ステーションの前記ハウジング（２０２、２０２’）内に埃及びデブリを運ぶ、
請求項１に記載のロボット床清掃システム。
【請求項３】
前記清掃ビン（１２２、１２２’、１２２”）は、該清掃ビンの壁に沿った少なくとも一つの開口（１３４、１７２）と、該少なくとも一つの開口と合致するよう該清掃ビンの該壁に取り付けられたシーリング部材（１７６、１８２）とを備え、具体的には、該少なくとも一つの開口は該清掃ビンの後壁に沿って配置された一以上の吸引孔（１７２）を含み、及び／又は該少なくとも一つの開口は前記ロボット真空部（１２０）に近接する該清掃ビンの側壁に沿って配置された排出ポート（１３４）を含み、及び／又は該シーリング部材は前記排出ステーションの前記真空部の作動に応答して閉位置から開位置に調整可能な柔軟で弾力のあるフラップ（１７８、１８４）を含み、及び／又は該シーリング部材はエラストマー材を含む、
請求項１又は請求項２に記載のロボット床清掃システム。
【請求項４】
前記ロボットは、該ロボットの前記底面の前記開口（１０９、１０９’）内に配置された清掃ヘッドアセンブリ（１０８）を更に備え、該清掃ヘッドアセンブリはそれらの間に隙間（１１４）を形成するように互いに隣接して配置された一対のローラ（１１０、１１
０’、１１２、１１２’）を備え、
前記排出真空部（２１２）の作動によって逆方向空気流が前記清掃ビン（１２２、１２２’、１２２”）から前記ローラの間の前記隙間を通って流れる、
請求項１から請求項３のいずれか一項に記載のロボット床清掃システム。
【請求項５】
前記排出ステーション（２００、２００’）は前記清掃ビン（１２２、１２２’、１２２”）のベースに近接して配置された金属板（１９７）に応答するロボット適合性センサ（２１８）を更に備え、具体的には、該ロボット適合性センサは誘導性検出要素を含む、
請求項１から請求項４のいずれか一項に記載のロボット床清掃システム。
【請求項６】
前記排出ステーション（２００、２００’）は、
前記ハウジング（２０２、２０２’）に着脱可能に連結された、前記排出真空部（２１２）によって前記吸引開口（２１６）を通して該排出ステーションハウジング内に取り込まれた空気によって運ばれたデブリを受けるためのデブリキャニスタ（２０４、２０４’）と、
前記デブリキャニスタの前記ハウジングへの取り付け及び該ハウジングからの取り外しに応答するキャニスタセンサ（２２４）と、
を更に備える、
請求項１から請求項５のいずれか一項に記載のロボット床清掃システム。
【請求項７】
前記排出ステーション（２００、２００’）は、
前記排出ステーションハウジング（２０２、２０２’）内に取り込まれる空気によって前記キャニスタ（２０４、２０４’）に入るデブリに応答する少なくとも一つのデブリセンサ（２２８）と、
前記デブリセンサに連結されたコントローラ（２３０）であって、該デブリセンサからのフィードバックに基づいて前記キャニスタの充満状態を判断するよう構成され、具体的には、該コントローラは該キャニスタのデブリで充たされている割合で該充満状態を判断するよう構成された、コントローラと、
を更に備える、
請求項６に記載のロボット床清掃システム。
【請求項８】
前記排出ステーション（２００、２００’）は、前記排出真空部（２１２）の作動に応答するモータ電流センサ（２２６）と、該モータ電流センサに連結されたコントローラ（２３０）と、を更に備え、該コントローラは、該モータ電流センサからのセンサフィードバックに基づいて該排出真空部に近接するフィルタ（２２１）の作動状態を判断するよう構成され、及び／又は該排出ステーションは、コントローラに連結され携帯機器（３００）に該排出ステーションの状態を説明する情報を伝達するよう構成された無線通信システム（２２７）を更に備える、
請求項１から請求項７のいずれか一項に記載のロボット床清掃システム。
【請求項９】
自律型床清掃ロボット（１００、１００’）の清掃ビンを空にする方法であって、
移動型床清掃ロボットを排出ステーション（２００、２００’）のハウジング（２０２、２０２’）にドッキングさせ、
前記移動型床清掃ロボットは、
該ロボット内に配置され、清掃中に該ロボットによって取り込まれたデブリを運ぶ清掃ビン（１２２、１２２’、１２２”）と、
モータ（１１９）及び該モータに連結されたファン（１９５）を備えるロボット真空部（１２０）と、
を備え、
前記排出ステーション（２００、２００’）は、
吸引開口（２１６）を有するプラットフォーム（２０６、２０６’）を規定する前記ハウジング（２０２、２０２’）と、
前記吸引開口と流体連通し、該吸引開口を通して前記排出ステーションハウジングに空気を引き込む、排出真空部（２１２）と、
を備え、
前記プラットフォームの前記吸引開口から前記ロボットの底面の開口（１０９、１０９’）までを密閉し、
前記排出真空部を作動させて前記吸引開口を通して前記排出ステーションハウジング内に空気を引き込み、
前記ロボット内に配置された一方向空気流バルブ（１８６）を作動させて、前記排出真空部の作動によって空気が前記ロボット真空部の前記ファンを通して引き込まれるのを阻止することを含む、
方法。
【請求項１０】
前記空気流バルブを作動させることは、前記排出真空部（２１２）の吸引力によって前記バルブ（１８４）のフラップ（１８６）を上方回転動作で引っ張ることを含み、具体的には、該空気流バルブを作動させることは、前記ロボット真空部を前記清掃ビン（１２２、１２２’、１２２”）の内部と接続する空気路（１３２）を該フラップで実質的に密閉することを更に含む、
請求項９に記載の方法。
【請求項１１】
前記排出真空部（２１２）を作動させて前記排出ステーション（２００、２００‘）内に空気を引き込むことは、前記ロボットを通して逆方向空気流を引き込み、該逆方向空気流が、前記清掃ビン（１２２、１２２’、１２２”）から、前記吸引開口（２１６）を通して、該排出ステーションの前記ハウジング（２０２、２０２’）内に埃及びデブリを運び、具体的には、該ロボットは、該ロボットの前記底面の前記開口（１０９、１０９’）内に配置された清掃ヘッドアセンブリ（１０８）を更に備え、該清掃ヘッドはそれらの間に隙間（１１４）を形成するように互いに隣接して配置された一対のローラ（１１０、１１０’、１１２、１１２’）を備え、該ロボットを通して該逆方向空気流を引き込むことは、該記清掃ビンからの該逆方向空気流を該ローラの間の該隙間に通すことを含む、
請求項９又は請求項１０に記載の方法。
【請求項１２】
前記排出真空部（２１２）を作動させて前記排出ステーション（２００、２００‘）内に空気を引き込むことは、シーリング部材（１７６、１８２）のフラップ（１７８、１８４）を、該排出真空部の吸引力によって、前記清掃ビン（１２２、１２２’、１２２”）の壁に沿った開口（１３４、１７２）から離れる方向に引っ張ることを更に含み、具体的には、該開口は該清掃ビンの後壁に沿って配置された一以上の吸引孔（１７２）を含み、及び／又は該開口は該清掃ビンの前記ロボット真空部に近接する側壁に沿って配置された排出ポート（１３４）を含む、
請求項９から請求項１１のいずれか一項に記載の方法。
【請求項１３】
前記清掃ビン（１２２、１２２’、１２２”）のベースに近接して配置された金属板（１９７）の存在に応答するロボット適合性センサ（２１８）を監視し、該金属板の存在の検出に応答して前記排出真空部（２１２）の作動を開始することを更に含み、具体的には、該ロボット適合性センサは誘導性検出要素を含む、
請求項９から請求項１２のいずれか一項に記載の方法。
【請求項１４】
前記排出ステーションハウジング（２０２、２０２’）に引き込まれる空気によって前記排出ステーション（２００、２００’）の着脱可能なキャニスタ（２０４、２０４’）に入るデブリに応答する少なくとも一つのデブリセンサ（２２８）を監視し、該キャニス
タの充満状態を検出し、該充満状態に基づいて該キャニスタが実質満杯であると判断したことに応答して前記排出真空部（２１２）の作動を阻止すること、及び／又は該排出真空部の作動に応答するモータ電流センサ（２２６）を監視して該排出真空部に近接するフィルタ（２２１）の作動状態を検出し、該フィルタが汚れていると判断したことに応答して、通信システム（２２７）を介して該フィルタの作動状態の視覚的な表示をユーザに提供することを更に含む、
請求項９に記載の方法。
【請求項１５】
移動型床清掃ロボット（１００、１００’）であって、
前記ロボットを床面上で移動させる少なくとも一つの駆動車輪（１４２ａ、１４２ｂ）を備えるシャーシ（１０２）と、
前記ロボット内に配置され、清掃中に該ロボットによって取り込まれたデブリを受けるよう配置された清掃ビン（１２２、１２２’、１２２”）と、
モータ（１１９）及び該モータに連結されたファン（１９５）を備え、前記ロボットの底面にある吸気口（１０９、１０９’）から、前記清掃ビンを通って、排気口（１３４）まで延びる流路に沿って空気を流れさせることによって該吸気口を通して該清掃ビン内にデブリを引き込むよう構成されたロボット真空部（１２０）と、
前記ロボット内に配置され、前記排気口から前記吸気口への前記流路に沿って動く空気流に応答して自動的に閉じるよう構成された一方向空気流バルブ（１８６）と、
を備える移動型床清掃ロボット。
【請求項１６】
前記空気流バルブ（１８６）は、該空気流バルブが閉位置にある状態において前記ファン（１９５）が前記清掃ビン（１２２、１２２’、１２２”）の内部から実質遮断されるよう、前記ロボット内に配置され、及び／又は前記ロボットは、該ロボットの前記底面の開口（１０９、１０９’）内に配置された清掃ヘッドアセンブリ（１０８）を更に備え、該清掃ヘッドは、それらの間に、該ロボットの清掃動作中に該清掃ビンにデブリを運ぶ順方向空気流及び該ロボットの排出動作中に該清掃ビンからデブリを運ぶ逆方向空気流を受けるよう構成された隙間（１１４）を形成するように互いに隣接して配置された一対のローラ（１１０、１１０’、１１２、１１２’）を備える、
請求項１５に記載の移動型床清掃ロボット。
【請求項１７】
前記清掃ビン（１２２、１２２’、１２２”）は、該清掃ビンの壁に沿った少なくとも一つの開口（１３４、１７２）と、該少なくとも一つの開口と合致するよう該清掃ビンの該壁に取り付けられたシーリング部材（１７６、１８２）とを備え、具体的には、該少なくとも一つの開口は該清掃ビンの後壁に沿って配置された一以上の吸引孔（１７２）を含み、及び／又は該少なくとも一つの開口は前記ロボット真空部に近接する該清掃ビンの側壁に沿って配置された排出ポート（１３４）を含み、及び／又は該シーリング部材は吸引力に応答して閉位置から開位置に調整可能な柔軟で弾力のあるフラップ（１７８、１８４）を含む、
請求項１５に記載の移動型床清掃ロボット。
【請求項１８】
移動型ロボットに用いる清掃ビン（１２２、１２２’、１２２”）であって、
デブリ収集空洞（１２８、１２８’）を規定する、移動型ロボットのシャーシ（１０２）に取り付け可能なフレームであって、
真空ハウジング（１５８）と、
一以上の吸引孔（１７２）を有する後壁と、
を備えるフレームと、
前記真空ハウジングに隣接する空気路内で前記フレームに連結された真空シーリング部材（１８６）であって、前記清掃ビンから出る逆方向吸引空気流に応答して開位置から閉位置に調整可能である、柔軟で弾力のあるフラップ（１９０）を含む、真空シーリング
部材と、
前記後壁に隣接して前記吸引孔と合致するように前記フレームに連結された細長いシーリング部材（１７６）であって、前記逆方向吸引空気流に応答して閉位置から開位置に調整可能である、柔軟で弾力のあるフラップ（１７８）を含む、細長いシーリング部材と、
を備える清掃ビン。
【請求項１９】
前記フレームの側壁に沿って、前記真空ハウジング（１５８）の下側部分の近傍の排出ポート（１３４）と合致するように配置された補助シーリング部材（１８２）を更に備え、該補助シーリング部材は、前記逆方向吸引空気流に応答して閉位置から開位置に調整可能であり、及び／又は該真空ハウジングは、該真空ハウジング内で支持されたロボット真空部（１２０）の空気取り入れ口（１２１）が該フレームの前記空気路（１３２）に対して傾くよう斜めに配向され、及び／又は前記真空シーリング部材（１８６）の柔軟で弾力のある前記フラップ（１９０）は、該フラップが閉位置にある状態において該真空ハウジング内で支持された該ロボット真空部のファン（１９５）が前記デブリ収集空洞（１２８、１２８’）から実質遮断されるよう、該空気路内に配置された、
請求項１８に記載の清掃ビン。
【請求項２０】
前記フレームの底面に沿って取り付けられた受動的ローラ（１９９）を更に備え、及び／又はマイクロコントローラ（１４６）に連結された少なくとも一つのデブリセンサを備える、前記デブリ収集空洞（１２８、１２８’）内にあるデブリの量を検出するよう構成されたビン検出システム（１５４）を更に備える、
請求項１８又は請求項１９に記載の清掃ビン。
【発明の詳細な説明】
【技術分野】
【０００１】
本開示はロボット清掃システムに関するものであり、より具体的には、清掃ロボットからデブリを取り除くためのシステム、装置及び方法に関するものである。
【背景技術】
【０００２】
自律型清掃ロボットは、構造化されていない環境において、継続的な人による誘導を必要とすることなく真空清掃といった所望の清掃作業を実行することが可能なロボットである。様々な種類の清掃ロボットが、ある程度そして様々な形で自律的である。例えば、自律型清掃ロボットは、自律型清掃ロボットの清掃ビン内の吸引されたデブリを出すことを目的として、ベースステーションと自動的にドッキングするよう設計しても良い。
【発明の概要】
【０００３】
本開示の一側面において、ロボット床清掃システムは、移動型床清掃ロボット及び排出ステーションを備える。ロボットは、ロボットを床面上で移動させる少なくとも一つの駆動車輪を備えるシャーシと、ロボット内に配置され、清掃中にロボットによって取り込まれたデブリを受けるよう配置された清掃ビンと、モータ及びモータに連結されたファンを備え、ロボットの底面にある開口から清掃ビン内にデブリを引き込む空気の流れを生成するよう構成されたロボット真空部とを備える。排出ステーションは、ロボットの清掃ビンからデブリを排出させるよう構成されており、プラットフォームを規定するハウジングであって、ロボットの底面にある開口がプラットフォームに規定された吸引開口と整列する位置に清掃ロボットを受けるようプラットフォームが配置された、ハウジングと、吸引開口と流体連通し、吸引開口を通して排出ステーションハウジングに空気を引き込む、排出真空部とを備える。床清掃ロボットは、ロボット内に配置され、排出ステーションの真空部の動作に応答して自動的に閉じるよう構成された一方向空気流バルブを更に含んでも良い。空気流バルブは、ロボット真空部を清掃ビンの内部と接続する空気路に配置されても良い。
【０００４】
いくつかの実施形態において、空気流バルブは、空気流バルブが閉位置にある状態においてファンが清掃ビンの内部から実質遮断されるよう、ロボット内に位置する。
【０００５】
いくつかの実施形態において、排出真空部の作動によって、逆方向空気流が清掃ビンを通過し、清掃ビンから、吸引開口を通して、排出ステーションのハウジング内に埃及びデブリを運ぶ。
【０００６】
いくつかの実施形態において、清掃ビンは、清掃ビンの壁に沿った少なくとも一つの開口と、少なくとも一つの開口と合致するよう清掃ビンの壁に取り付けられたシーリング部材とを備える。いくつかの例では、少なくとも一つの開口は清掃ビンの後壁に沿って配置された一以上の吸引孔を含む。いくつかの例では、少なくとも一つの開口はロボット真空部に近接する清掃ビンの側壁に沿って配置された排出ポートを含む。いくつかの例では、シーリング部材は排出ステーションの真空部の作動に応答して閉位置から開位置に調整可能な柔軟で弾力のあるフラップを含む。いくつかの例では、シーリング部材はエラストマー材を含む。
【０００７】
いくつかの実施形態において、ロボットは、ロボットの底面の開口内に配置された清掃ヘッドアセンブリを更に備え、清掃ヘッドアセンブリはそれらの間に隙間を形成するように互いに隣接して配置された一対のローラを備える。従って、排出真空部の作動によって逆方向空気流を清掃ビンからローラの間の隙間を通って流すことができる。
【０００８】
いくつかの実施形態において、排出ステーションは、清掃ビンのベースに近接して配置された金属板に応答するロボット適合性センサを更に備える。いくつかの例では、ロボット適合性センサは誘導性検出要素を含む。
【０００９】
いくつかの実施形態において、排出ステーションは、ハウジングに着脱可能に連結された、排出真空部によって吸引開口を通して排出ステーションハウジング内に取り込まれた空気によって運ばれたデブリを受けるためのデブリキャニスタと、デブリキャニスタのハウジングへの取り付け及びハウジングからの取り外しに応答するキャニスタセンサと、  を更に備える。いくつかの例では、排出ステーションは、排出ステーションハウジング内に取り込まれる空気によってキャニスタに入るデブリに応答する少なくとも一つのデブリセンサと、デブリセンサに連結されたコントローラであって、デブリセンサからのフィードバックに基づいてキャニスタの充満状態を判断するよう構成されたコントローラを更に備える。いくつかの例では、コントローラはキャニスタのデブリで充たされている割合で充満状態を判断するよう構成されている。
【００１０】
いくつかの実施形態において、排出ステーションは、排出真空部の作動に応答するモータ電流センサと、モータ電流センサに連結されたコントローラと、を更に備え、コントローラは、モータ電流センサからのセンサフィードバックに基づいて排出真空部に近接するフィルタの作動状態を判断するよう構成されている。
【００１１】
いくつかの実施形態において、排出ステーションは、コントローラに連結され携帯機器に排出ステーションの状態を説明する情報を伝達するよう構成された無線通信システムを更に備える。
【００１２】
本開示の別の側面において、自律型床清掃ロボットの清掃ビンを空にする方法は、移動型床清掃ロボットを排出ステーションのハウジングにドッキングさせるステップを含む。移動型床清掃ロボットは、ロボット内に配置され、清掃中にロボットによって取り込まれ
たデブリを運ぶ清掃ビンと、モータ及びモータに連結されたファンを備えるロボット真空部と、を備える。排出ステーションは、吸引開口を有するプラットフォームを規定するハウジングと、吸引開口と流体連通し、吸引開口を通して排出ステーションハウジングに空気を引き込む、排出真空部と、を備える。方法は、プラットフォームの吸引開口からロボットの底面の開口までを密閉するステップと、排出真空部を作動させて吸引開口を通して排出ステーションハウジング内に空気を引き込むステップと、ロボット内に配置された一方向空気流バルブを作動させて、排出真空部の作動によって空気がロボット真空部のファンを通して引き込まれるのを阻止するステップとを含んでも良い。
【００１３】
いくつかの実施形態において、空気流バルブを作動させることは、排出真空部の吸引力によってバルブのフラップを上方回転動作で引っ張ることを含む。いくつかの例では、空気流バルブを作動させることは、ロボット真空部を清掃ビンの内部と接続する空気路をフラップで実質的に密閉することを更に含む。
【００１４】
排出真空部を作動させて排出ステーション内に空気を引き込むことは、ロボットを通して逆方向空気流を引き込み、逆方向空気流が、清掃ビンから、吸引開口を通して、排出ステーションのハウジング内に埃及びデブリを運ぶことを含む。いくつかの例では、ロボットは、ロボットの底面の開口内に配置された清掃ヘッドアセンブリを更に備え、清掃ヘッドはそれらの間に隙間を形成するように互いに隣接して配置された一対のローラを備える。従って、ロボットを通して逆方向空気流を引き込むことは、清掃ビンからの逆方向空気流をローラの間の隙間に通すことを含む。
【００１５】
いくつかの実施形態において、排出真空部を作動させて排出ステーション内に空気を引き込むことは、シーリング部材のフラップを、排出真空部の吸引力によって、清掃ビンの壁に沿った開口から離れる方向に引っ張ることを更に含む。いくつかの例では、開口は清掃ビンの後壁に沿って配置された一以上の吸引孔を含む。いくつかの例では、開口は清掃ビンのロボット真空部に近接する側壁に沿って配置された排出ポートを含む。
【００１６】
いくつかの実施形態において、方法は、清掃ビンのベースに近接して配置された金属板の存在に応答するロボット適合性センサを監視するステップと、金属板の存在の検出に応答して排出真空部の作動を開始するステップとを更に含む。いくつかの例では、ロボット適合性センサは誘導性検出要素を含む。
【００１７】
いくつかの実施形態において、方法は、排出ステーションハウジングに引き込まれる空気によって排出ステーションの着脱可能なキャニスタに入るデブリに応答する少なくとも一つのデブリセンサを監視し、キャニスタの充満状態を検出するステップと、充満状態に基づいてキャニスタが実質満杯であると判断したことに応答して排出真空部の作動を阻止するステップとを更に含む。
【００１８】
いくつかの実施形態において、方法は、排出真空部の作動に応答するモータ電流センサを監視して排出真空部に近接するフィルタの作動状態を検出するステップと、フィルタが汚れていると判断したことに応答して、通信システムを介してフィルタの作動状態の視覚的な表示をユーザに提供するステップとを更に含む。
【００１９】
本開示の更に別の側面において、移動型床清掃ロボットは、ロボットを床面上で移動させる少なくとも一つの駆動車輪を備えるシャーシと、ロボット内に配置され、清掃中にロボットによって取り込まれたデブリを受けるよう配置された清掃ビンと、モータ及びモータに連結されたファンを備え、ロボットの底面にある吸気口から、清掃ビンを通って、排気口まで延びる流路に沿って空気を流れさせることによって吸気口を通して清掃ビン内にデブリを引き込むよう構成されたロボット真空部と、ロボット内に配置され、排気口から
吸気口への流路に沿って動く空気流に応答して自動的に閉じるよう構成された一方向空気流バルブと、を備える。
【００２０】
いくつかの実施形態において、空気流バルブは、空気流バルブが閉位置にある状態においてファンが清掃ビンの内部から実質遮断されるよう、ロボット内に配置される。
【００２１】
いくつかの実施形態において、清掃ビンは、清掃ビンの壁に沿った少なくとも一つの開口と、少なくとも一つの開口と合致するよう清掃ビンの壁に取り付けられたシーリング部材とを備える。いくつかの例では、少なくとも一つの開口は清掃ビンの後壁に沿って配置された一以上の吸引孔を含む。いくつかの例では、少なくとも一つの開口はロボット真空部に近接する清掃ビンの側壁に沿って配置された排出ポートを含む。いくつかの例では、シーリング部材は吸引力に応答して閉位置から開位置に調整可能な柔軟で弾力のあるフラップを含む。いくつかの例では、シーリング部材はエラストマー材を含む。
【００２２】
いくつかの実施形態において、ロボットは、ロボットの底面の開口内に配置された清掃ヘッドアセンブリを更に備え、清掃ヘッドは、それらの間に、ロボットの清掃動作中に清掃ビンにデブリを運ぶ順方向空気流及びロボットの排出動作中に清掃ビンからデブリを運ぶ逆方向空気流を受けるよう構成された隙間を形成するように互いに隣接して配置された一対のローラを備える。
【００２３】
本開示の更に別の側面において、移動型ロボットに用いる清掃ビンは、デブリ収集空洞を規定する、移動型ロボットのシャーシに取り付け可能なフレームであって、真空ハウジングと、一以上の吸引孔を有する後壁と、を備えるフレームと、真空ハウジングに隣接する空気路内でフレームに連結された真空シーリング部材と、後壁に隣接して吸引孔と合致するようにフレームに連結された細長いシーリング部材と、を備える。真空シーリング部材は、清掃ビンから出る逆方向吸引空気流に応答して開位置から閉位置に調整可能である、柔軟で弾力のあるフラップを含んでも良い。細長いシーリング部材は、逆方向吸引空気流に応答して閉位置から開位置に調整可能である、柔軟で弾力のあるフラップを含んでも良い。
【００２４】
いくつかの実施形態において、清掃ビンは、フレームの側壁に沿って、真空ハウジングの下側部分の近傍の排出ポートと合致するように配置された補助シーリング部材を更に備える。補助シーリング部材は、逆方向吸引空気流に応答して閉位置から開位置に調整可能であっても良い。
【００２５】
いくつかの実施形態において、真空ハウジングは、真空ハウジング内で支持されたロボット真空部の空気取り入れ口がフレームの空気路に対して傾くよう斜めに配向されている。
【００２６】
いくつかの実施形態において、真空シーリング部材及び細長いシーリング部材の少なくとも一方の柔軟で弾力のあるフラップは、エラストマー材を含む。
【００２７】
いくつかの実施形態において、真空シーリング部材の柔軟で弾力のあるフラップは、フラップが閉位置にある状態において真空ハウジング内で支持されたロボット真空部のファンがデブリ収集空洞から実質遮断されるよう、空気路内に配置されている。
【００２８】
いくつかの実施形態において、清掃ビンは、フレームの底面に沿って取り付けられた受動的ローラを更に備える。
【００２９】
いくつかの実施形態において、清掃ビンは、マイクロコントローラに連結された少なく
とも一つのデブリセンサを備える、デブリ収集空洞内にあるデブリの量を検出するよう構成されたビン検出システムを更に備える。
【００３０】
発明の一以上の実施形態の更なる詳細は、添付の図面及び以下の明細書に記載されている。発明のその他の特徴、物、及び長所は、明細書、図面、及び特許請求の範囲から明らかになるであろう。
【図面の簡単な説明】
【００３１】
【図１】図１は、清掃ロボット及び排出ステーションを含む床清掃システムの斜視図である。
【図２】図２は、清掃ロボットの一例の斜視図である。
【図３】図３は、図２に示す清掃ロボットの底面図である。
【図４】図４は、清掃ヘッドアセンブリ及び清掃ビンを含む清掃ロボットの一部の側面断面図である。
【図５Ａ】図５Ａは、清掃ロボットの清掃ビンからの空気及びデブリの排出を説明する、床清掃システムの一例の模式図である。
【図５Ｂ】図５Ｂは、清掃ロボットの清掃ヘッドアセンブリを通した空気及びデブリの排出を説明する模式図である。
【図６】図６は、清掃ロボットの清掃ビンの第一例の斜視図である。
【図７】図７は、清掃ビンの第一例のフレームの斜視図である。
【図８】図８は、清掃ビンの第一例の一以上の吸引口を密閉するための細長いシーリング部材の斜視図である。
【図９】図９は、清掃ビンの第一例の、排気ポートの近傍の一領域を密閉するための補助シーリング部材の斜視図である。
【図１０】図１０は、清掃ビンの第一例に配置されたロボット真空部の空気取り入れ口につながる空気路を密閉するための真空シーリング部材の斜視図である。
【図１１】図１１は、補助シーリング部材の取付位置を図示した、清掃ビンの第一例の一部の斜視図である。
【図１２】図１２は、細長いシーリング部材及び補助シーリング部材の取り付けを説明する、清掃ビンの第一例の正面図である。
【図１３】図１３は、細長いシーリング部材及び補助シーリング部材の取り付けを説明する、清掃ビンの第一例の平面図である。
【図１４】図１４は、細長いシーリング部材、補助シーリング部材及び真空シーリング部材の取り付けを説明する、清掃ビンの第一例の正面断面図である。
【図１５Ａ】図１５Ａは、真空シーリング部材の閉位置を説明する、ロボット真空部の空気取り入れ口につながる空気路の側面断面図である。
【図１５Ｂ】図１５Ｂは、真空シーリング部材の開位置を説明する、ロボット真空部の空気取り入れ口につながる空気路の側面断面図である。
【図１６】図１６は、細長いシーリング部材及び真空シーリング部材の取り付けを説明する、清掃ビンの第二例の正面断面図である。
【図１７】図１７は、細長いシーリング部材の取り付けを説明する、清掃ビンの第二例の正面図である。
【図１８】図１８は、細長いシーリング部材の取り付けを説明する、清掃ビンの第二例の平面図である。
【図１９】図１９は、清掃ビンの第二例の背面斜視図である。
【図２０】図２０は、清掃ビンの第二例の底面図である。
【図２１】図２１は、排出ステーションのプラットフォームの斜視図である。
【図２２】図２２は、排出ステーションのフレームの斜視図である。
【図２３】図２３は、排出ステーションを操作するための制御アーキテクチャの一例を説明する図である。
【図２４Ａ】図２４Ａ−２４Ｄは、排出ステーションの操作に関する情報を表示するソフトウェアアプリケーションを実行する携帯機器の平面図である。
【図２４Ｂ】図２４Ａ−２４Ｄは、排出ステーションの操作に関する情報を表示するソフトウェアアプリケーションを実行する携帯機器の平面図である。
【図２４Ｃ】図２４Ａ−２４Ｄは、排出ステーションの操作に関する情報を表示するソフトウェアアプリケーションを実行する携帯機器の平面図である。
【図２４Ｄ】図２４Ａ−２４Ｄは、排出ステーションの操作に関する情報を表示するソフトウェアアプリケーションを実行する携帯機器の平面図である。
【００３２】
異なる図面中の同様の番号は、同様の要素を示す。
【発明を実施するための形態】
【００３３】
図１は、移動型床清掃ロボット１００及び排出ステーション２００を備えるロボット床清掃システム１０を示す図である。いくつかの実施形態では、ロボット１００は、デブリを床面から清掃ビン１２２に回収することで自律的に床面を横断して清掃するよう設計されている。いくつかの実施形態では、ロボット１００は、清掃ビン１２２が満杯であることを検出すると、清掃ビン１２２を空にするために排出ステーション２００に移動することができる。
【００３４】
排出ステーション２００は、ハウジング２０２と、取り外し可能なデブリキャニスタ２０４とを含む。ハウジング２０２は、プラットフォーム２０６と、デブリキャニスタ２０４を支持するベース２０８とを規定する。図１に示すように、ロボット１００は、プラットフォーム２０６上を前進してベース２０８のドッキングベイ２１０内に入ることで、排出ステーション２００とドッキングすることができる。ドッキングベイ２１０がロボット１００を受けると、ベース２０８内に担持された排出真空部（例えば、図５Ａに示す排出真空部２１２）が、ロボット１００の清掃ビン１２２からハウジング２０２を通してデブリキャニスタ２０４にデブリを引き込む。排出真空部２１２は、排出サイクル中に排出ステーション２００及びドッキングしているロボット１００を通して空気を引き込むための、ファン２１３とモータ（図５Ａ参照）とを含む。
【００３５】
図２及び図３は、図１に示す清掃システム１０に採用可能な移動型床清掃ロボット１００の一例を説明する図である。この例では、ロボット１００は、外側シェル１０４を担持する主要シャーシ１０２を含む。ロボット１００の外側シェル１０４は、可動バンパ１０６（図２参照）をシャーシ１０２に結合する。ロボット１００は、前進及び後退駆動方向に動くことが可能であるため、シャーシ１０２は、対応する前方端１０２ａ及び後方端１０２ｂを有する。バンパ１０６が取り付けられている前方端１０２ａは、前進駆動方向を向いている。いくつかの実施形態では、ロボット１００は、例えば、ロボット１００が後退駆動する退避行動、反跳行動及び障害物回避行動中に、後方端１０２ｂを移動方向に向けて後退方向に移動することができる。
【００３６】
清掃ヘッドアセンブリ１０８が、シャーシ１０２の中央部に連結されたローラハウジング１０９内に位置している。図４に示すように、清掃ヘッドアセンブリ１０８は、シャーシ１０２に取り付け可能な清掃ヘッドフレーム１０７内に取り付けられている。清掃ヘッドフレーム１０７は、ローラハウジング１０９を支持する。清掃ヘッドアセンブリ１０８は、床面に平行に且つ小さく細長い隙間１１４だけ互いに間隔を空けて回転可能に取り付けられた、前側ローラ１１０と後側ローラ１１２とを含む。前側ローラ１１０及び後側ローラ１１２は、使用中に床面に接して撹拌するよう設計されている。従って、この例では、各ローラ１１０、１１２は、円筒型の外装に沿って配置されたシェブロン型の羽根１１６のパターンを特徴としている。なお、その他の適切な構成も考えられる。例えば、いくつかの実施形態では、前側及び後側ローラの少なくとも一方が、床面を撹拌するための剛
毛及び／又は細長く柔軟なフラップを含んでも良い。
【００３７】
前側ローラ１１０及び後側ローラ１１２のそれぞれは、撹拌されたデブリを床面から動的に持ち上げる（又は「抽出する」）ために、ブラシモータ１１８によって回転駆動される。清掃ビン１２２内の、シャーシ１０２の後端１０２ｂ側に配置されたロボット真空部（例えば、図６、１２及び１４−１８に示すロボット真空部１２０）は、床面からのデブリの抽出においてローラを補助する吸引力を提供するためにローラ１１０、１１２の間の隙間１１４を通して空気を引き上げる、モータ駆動されるファン（例えば、図１４−１６に示すファン１９５）を含む。隙間１１４を通過する空気及びデブリは、清掃ビン１２２の開口１２６に通じるプレナム１２４を通る。開口１２６は、清掃ビン１２２のデブリ収集空洞１２８に通じる。空洞１２８の上に位置するフィルタ１３０は、ロボット真空部の空気取り入れ口（例えば、図１３−１６及び１８に示す空気取り入れ口１２１）に通じる空気路１３２からのデブリをふるいにかける。
【００３８】
図１３−１５Ｂに示すようないくつかの実施形態では、清掃ビン１２２は、空気取り入れ口１２１が水平面に配向されるよう構成されている。図１６及び１８に示すような他の実施形態では、清掃ビン１２２”は、ファン１９５の空気取り入れ口が空気路１３２内に方向付けられるようにロボット真空部１２０が傾くよう構成されている。この構成は、ファン１９５によってフィルタ１３０を通して引き込まれた空気の流れのよりダイレクトな経路を作り出す。このよりダイレクトな経路は、より良好な層流を提供し、それによって乱流が減少し又は除去されてファン１９５での逆流が除去されるため、ロボット真空部が水平に配向された実施例と比較して性能及び効率が向上する。
【００３９】
以下に詳細に説明するように、清掃ビン１２２から空気及びデブリを排出する際にロボット真空部１２０を保護するために、真空シーリング部材（例えば、図１０及び１４−１６に示す真空シーリング部材１８６）を空気路１３２に設置しても良い。真空シーリング部材１８６は、ロボット１００が清掃作業を実行している間は、空気路が清掃ビン１２２を通って流れることを可能にするためにロボット真空部１２０の空気取り入れ口１２１を通って流れる空気が真空シーリング部材１８６を開位置に引き寄せるため、開位置にとどまる。排出中は、図５Ａに示すように清掃ビン１２２を通る空気の流れが逆転（１２９）し、ロボット真空部１２０を通る逆方向空気流１２９をブロック又は実質的に詰まらせるために、図１５Ａに示すように真空シーリング部材１８６は伸びた位置に移動する。そうしなければ、逆方向空気流１２９がファン１９５を取り込んで回転方向と逆方向に引っ張り、ファン１９５を一方向に回転するよう構成されているファンモータ１１９を破損させる可能性がある。
【００４０】
ロボット真空部１２０から排出されたろ過された空気は、排出ポート１３４（図２、７、１３及び１９参照）を通過する。いくつかの例では、排出ポート１３４は、空気流を床面から離れる方向に向けるための、上方に角度付けられた一連の平行な薄板を含む。このデザインは、ロボット１００が清掃ルーティンを実行している間、排気が床面の埃やその他のデブリを噴き飛ばすのを防止する。フィルタ１３０は、フィルタドア１３６を通して取り外し可能である。清掃ビン１２２は、ばね式解放機構１３８によってシェル１０４から取り外し可能である。
【００４１】
図２及び図３を再度参照して、床面に垂直な軸周りに回転可能なサイドブラシ１４０が、シャーシ１０２の側壁に沿って前方端１０２ａの近傍且つ前進駆動方向においてローラ１１０、１１２の前方に取り付けられている。サイドブラシ１４０は、ロボット１００が床面に沿って清掃するためのより幅の広いカバレッジ領域を作り出すことを可能にする。具体的には、サイドブラシ１４０は、ロボット１００の足跡（ｆｏｏｔｐｒｉｎｔ）領域の外側から、中央に配置された清掃ヘッドアセンブリの経路内に、デブリをはじくことが
できる。
【００４２】
ロボット１００を移動可能にし、床面との２つの接触点を提供する独立駆動車輪１４２ａ、１４２ｂが、シャーシ１０２の両側に取り付けられ、ローラハウジング１０９の長手方向軸を囲っている。シャーシ１０２の前方端１０２ａは、床面との第３の接触点としてロボット１００の追加の支持を提供する、非駆動の多方向キャスタ車輪１４４を含む。
【００４３】
ロボット制御回路１４６（模式的に示す）は、シャーシ１０２に担持されている。ロボット制御回路１４６は、ロボット１００の他の様々な構成要素（例えば、ローラ１１０、１１２、サイドブラシ１４０、及び／又は駆動車輪１４２ａ、１４２ｂ）を統制するよう構成（適切に設計及びプログラム）されている。一例として、ロボット制御回路１４６は、駆動車輪１４２ａ、１４２ｂを同調して動作させてロボット１００を前進又は後退させるコマンドを提供することができる。別の例として、ロボット制御回路１４６は、駆動車輪１４２ａを前進方向に動作させ、駆動車輪１４２ｂを後退方向に動作させて、時計回りの回転を実行させるコマンドを発行することができる。同様に、ロボット制御回路１４６は、回転ローラ１１０、１１２又はサイドブラシ１４０の動作を開始又は停止させるコマンドを提供することができる。例えば、ロボット制御回路１４６は、ローラ１１０、１１２が絡まった場合にローラ１１０、１１２を停止させる又は逆バイアスするコマンドを発行することができる。いくつかの実施形態では、ロボット制御回路１４６は、適切な行動ベースロボット工学（ｂｅｈａｖｉｏｒ−ｂａｓｅｄ−ｒｏｂｏｔｉｃｓ）スキームを実行して、ロボット１００に自律的に移動して床面を清掃させるコマンドを発行するよう設計されている。ロボット制御回路１４６は、ロボット１００のその他の構成要素と同様に、清掃ヘッドアセンブリ１０８の前方においてシャーシ１０２に配置されたバッテリ１４８で動作させることができる。
【００４４】
ロボット制御回路１４６は、ロボット１００に配置されロボット制御回路１４６に通信可能に連結された複数のセンサから受け取ったフィードバックに基づいて、行動ベースロボット工学スキームを実行する。例えば、この例では、一連の近接センサ１５０（模式的に示す）が、前方端のバンパ１０６を含むロボット１１０の外周に沿って取り付けられている。近接センサ１５０は、ロボット１００が前進駆動方向に移動するとロボット１００の前又は横に現れ得る潜在障害物の存在に応答する。ロボット１００は、更に、シャーシ１０２の前方端１０２ａに沿って取り付けられた、一連のクリフセンサ１５２を含む。クリフセンサ１５２は、ロボット１００が前進駆動方向に移動している間、ロボット１００の前方にある潜在クリフ又は床の段差を検出するよう設計されている。より具体的には、クリフセンサ１５２は、床面の縁やクリフ（例えば、階段の縁）を示す、床の特徴の急な変化に応答する。ロボット１００は、更に、清掃ビン１２２内のデブリの量を検出するためのビン検出システム１５４（模式的に示す）を含む。米国特許出願第２０１２／０２９１８０９号（参照することによりその全体が本明細書に組み込まれる）で説明されているように、ビン検出システム１５４は、ロボット制御回路１４６にビン満杯信号を提供するよう構成されている。いくつかの実施形態では、ビン検出システム１５４は、マイクロコントローラに連結されたデブリセンサ（例えば、少なくとも一つの発信器及び少なくとも一つの受信器を特徴とするデブリセンサ）を含む。マイクロコントローラは、デブリセンサからのフィードバックに基づいて清掃ビン１２２内のデブリの量を判断するよう構成する（例えば、プログラムする）ことができる。いくつかの例では、清掃ビン１２２がほぼ満杯である（例えば、９０パーセント又は１００パーセント満杯である）とマイクロコントローラが判断した場合、ビン満杯信号がマイクロコントローラからロボット制御回路１４６に送信される。ロボット１００は、ビン満杯信号を受信すると、清掃ビン１２２からデブリを出すために排出ステーション２００に移動する。いくつかの実施例では、ロボット１００は、清掃走行中に動作環境をマッピングし、横断した領域と横断していない領域を記録し、空にするために排出ステーション２００に戻るようロボット制御回路１４６が
ロボット１００に指示した時点のマップ上での姿勢を保存する。清掃ビン１２２の排出が完了すると、ロボット１００は、保存された、清掃ルーティンが中断された時点の姿勢に戻り、排出前にミッションが完了していなかった場合は清掃を再開する。いくつかの実施例では、ロボット１００は、ロボットの前進駆動方向に配向された視野光軸を有するカメラといった、動作環境で特徴やランドマークを検出してＶＳＬＡＭ技術を用いてマップを構築するための、少なくとも一つの視覚ベースのセンサを含む。
【００４５】
他の様々な種類のセンサも、例示して説明した例には示していないが、本開示の範囲を逸脱することなくロボット１００と組み合わせることが可能である。例えば、バンパ１０６の衝突に応答する触覚センサ及び／又はブラシモータ１１８のモータ電流に応答するブラシモータセンサをロボット１００に組み込むことが可能である。
【００４６】
通信モジュール１５６が、ロボット１００のシェル１０４に取り付けられている。通信モジュール１５６は、排出ステーション２００の発信器（例えば、図２１及び２２に示す、回避信号発信器２２２ａ及び／又はホーミング及びアライメント発信器２２２ｂ）及び（任意で）ナビゲーション又は仮想壁ビーコンの発信器から発せられた信号を受信するよう動作する。いくつかの実施形態では、通信モジュール１５６は、無指向性レンズを含む従来型の赤外線（「ＩＲ」）又は光学検出器を含んでも良い。しかしながら、排出ステーション２００の発信器が通信モジュール１５６の検出器と適合している限り、あらゆる適切な検出器及び（任意の）発信器の配置を用いることができる。通信モジュール１５６は、ロボット制御回路１４６に通信可能に連結されている。従って、いくつかの実施形態では、通信モジュール１５６が排出ステーション２００によって発せられたホーミング信号を受信したことに応答して、ロボット制御回路１４６がロボット１００に排出ステーション２００に向かわせてドッキングさせることができる。米国特許第７、１９６、４８７号、米国特許第７、１８８、０００号、米国特許出願公開第２００５０１５６５６２号、及び米国特許出願公開第２０１４０１００６９３号（参照することによりこれらの全体が本明細書に組み込まれる）で述べられているドッキング、閉じ込め、ホームベース及びホーミング技術は、適切なホーミングナビゲーション及びドッキング技術を説明している。
【００４７】
図５Ａ及び図５Ｂは、清掃システムの一例１０’の動作を説明する図である。具体的には、図５Ａ及び図５Ｂは、排出ステーション２００’によるロボット１００’の清掃ビン１２２’からの空気及びデブリの排出を図示している。図１に図示されている実施形態と同様に、ロボット１００’は、プラットフォーム２０６’上で停止しベース２０８’のドッキングベイ２１０’に受け止められた状態で、排出ステーション２００’とドッキングしている。ロボット１００’がドッキング位置にある状態において、ローラハウジング１０９’は、プラットフォーム２０６’に規定されている吸引開口（例えば、図２１に示す吸引開口２１６）と整列されており、流体損失を制限又は除去して逆方向空気流１２９の圧力及び速度を最大化するシールを吸引開口に形成している。図５Ａに示すように、排出真空部２１２は、ハウジング２０２’のベース２０８’内に担持され、内部配管（不図示）によってプラットフォーム２０６’の吸引開口との流体連通が維持されている。従って、排出真空部２１２の作動は、清掃ビン１２２’から、ローラハウジング１０９’を通して、プラットフォーム２０６’の吸引開口を経由して排出ステーションのハウジング２０２’に空気を引き込む。排出される空気は、清掃ビンの収集空洞１２８’からデブリを運ぶ。デブリを運ぶ空気は、ハウジング２０２’の内部配管（不図示）によって、デブリキャニスタ２０４’に導かれる。図５Ｂで説明されているように、空気流１２９及び排出真空部２１２によって排出されたデブリは、清掃ビン１２２’の開口１２６’を通り、プレナム１２４’を通ってローラハウジング１０９’に入り、前側ローラ１１０’と後側ローラ１１２’との隙間１１４’を通る。ロボット１００が排出ステーション２００とドッキングすると、排出ステーション２００は、排出中にローラモータを逆駆動するようロボット１００に信号を送信する。これにより、ローラモータがバックドライブされ潜在的に損
傷するのを防ぐことができる。
【００４８】
次に図６に移り、清掃ビン１２２は、ロボット真空部１２０を、ビン１２２の上面に沿ってフィルタドア１３６に隣接する取り外し可能なアクセスパネル１６０の下に位置する真空ハウジング１５８に担持する。清掃ビン１２２のビンドア１６２（開位置で図示）は、デブリ収集空洞１２８に通じる開口１２６を規定する。上述したように、開口１２６は、清掃ビン１２２をローラハウジング１０９と流体連通させるプレナム１２４と整列している（図４参照）。図７で説明されているように、清掃ビン１２２は、フィルタ１３０及び、ロボット真空部１２０の空気取り入れ口１２１を空気路１３２（図４参照）に露出させるための、隣接するポート１６８を保持するラック１６６を提供する。保護用の真空シーリング部材（例えば、図１０に示す真空シーリング部材１８６）を清掃ビン１２２に固定するための取付機構１７０が、ラック１６６とポート１６８との間に設けられている。図７は、排出ポート１３４及び清掃ビン１２２の後壁１７４に沿って設けられた複数の吸引孔１７２も説明している。ファン１９５の排出側と流体連通していない排出ポート１３４の下側部分及び吸引孔１７２は、ロボット１００が清掃中は動作環境との流体連通が選択的に塞がれており、排出中は逆方向空気流１２９が動作環境から清掃ビン１２２を通って動けるように解放されている。
【００４９】
いくつかの実施形態では、図８（及び、図１２−１４及び１６−１８）に示す細長いシーリング部材１７６が、ロボット１００が清掃モードで動作している間吸引孔１７２を密閉して清掃ビン１２２からの意図しないデブリの放出を阻止するために設けられている。図に示すように、シーリング部材１７６は、清掃ビン１２２の後壁１７４の曲率と一致するように、その長さ方向に沿って湾曲している。この例では、シーリング部材１７６は、実質剛体の背１７７及び、背１７７に（例えば、二段階（ｔｗｏ−ｓｈｏｔ）オーバーモールド技術で）ヒンジ式インターフェース１７５で取り付けられた実質柔軟で弾力のあるフラップ１７８を含む。背１７７は、シーリング部材１７６を清掃ビン１２２の後壁１７４に固定するための取付穴１７９及びフック部材１８０を含み、フラップ１７８は、ロボット清掃任務中に吸引孔１７２を通る空気流を遮断するために、吸引孔１７２に渡って垂直に垂れ下がる。いくつかの例では、取付穴１７９は、背１７７を清掃ビンの後壁１７４に取り付けるために、適切な機械的留め具（例えば金属ピン）及び／又は適切なヒートステークプロセスと併用することができる。シーリング部材１７６が適切に取り付けられると、フラップ１７８がぶら下がり、吸引孔１７２と係合して、デブリ収集空洞１２８からのデブリの脱出を阻止（あるいは防止）する。上述したように、ロボット１００が排出ステーション２００とドッキングしている時の排出真空部２１２の作動は、清掃ビン１２２から空気及びデブリを引く吸引力を作り出す。吸引力は、ヒンジで連結されたフラップ１７８も吸引孔１７２から引き離すことができ、動作環境からの取り込み空気流が清掃ビン１２２に入ることを可能にする。従って、フラップ１７８は、排出真空部２１２（図５Ａ及び５Ｂ参照）により引き込まれる逆方向空気流１２９に応答して閉位置から開位置に可動である。いくつかの実施形態では、背１７７は、アクリロニトリルブタジエンスチレン（ＡＢＳ）を含む材料から作られる。いくつかの実施形態では、フラップ１７８は、スチレンエチレンブチレンスチレンブロックコポリマー（ＳＥＢＳ）及び／又は熱可塑性エラストマー（ＴＰＥ）を含む材料から作られる。
【００５０】
いくつかの実施形態では、図９及び１１に示す補助シーリング部材１８２が、清掃ビン１２２の内側側壁及び、ファン１９５の排気側と流体連通しておらず真空ハウジング１５８（図１２及び１３参照）の後ろに位置する、排気ポート１３４の下側部分に沿って密閉するために設けられている。この例では、シーリング部材１８２は、比較的厚い支持構造１８３と、比較的薄く、柔軟で弾力のある、支持構造１８３から一体的に延びるフラップ１８４とを含む。支持構造１８３が所定の位置に取り付けられた状態で、フラップ１８４は、（図８に示すフラップ１７８と同様に）排出真空部２１２の作動に応答して閉位置か
ら開位置に調整可能である。補助シーリング部材１８２は、逆方向空気流１２９が排気ポート１３４の下側部分を通れるようにすることで、清掃ビン１２２の真空ハウジング１５８の底の部分に収集されたデブリを完全に排出することを可能にする。真空ハウジング１５８の底の部分に十分な空気流がないと、排出中に埃及びデブリが真空ハウジング１５８の底の部分で身動きが取れないままになってしまう可能性がある。補助シーリング部材１８２は、排出中は、動作環境から排気ポート１３４の下側部分を通り、清掃ビン１２２内の、吸引孔１７２を通る逆方向空気流１２９の直接の経路にない拘束された容積に入る空気の層流を提供するために持ち上げられる。フラップ１８４は、清掃動作中で閉位置にある時は、埃及びデブリがロボットの動作環境に意図せず放出され得る、清掃ビン１２２の排気ポート１３４の下側部分の周辺の領域への埃及びその他のデブリの脱出を阻止（あるいは防止）することができる。いくつかの実施形態では、補助シーリング部材１８２は、圧縮成形されたゴム材料（約５０ショアＡデュロメータ）を用いて作られる。
【００５１】
上述したように、真空シーリング部材１８６は、ロボット真空部１２０の取り入れ口１２１に通じる空気路１３２に取り付けることができる（図１４−１６参照）。図１０に示すように、真空シーリング部材１８６は、実質剛体の背１８８と、実質剛体のフラップ１９０とを含む。いくつかの実施例では、フラップ１９０の先端は、ロボットの清掃任務中にロボット真空部１２０を通る空気流を遮断することなくロボット真空部１２０の空気取り入れ口１２１に通じるポート１６８の円形の開口を収容するための、凹型曲率を有する。例えば、図１４、１５Ｂ及び１６に図示されているように、フラップ１９０は、空気が空気路を通って流れるように降ろした位置にあり、フラップの末端は、空気取り入れ口１２１を通る空気流を遮断することなくポート１６８（図７参照）に隣接する。傾斜したロボット真空部１２０のいくつかの実施例では、真空ハウジング１５８’は、開位置又は下位置にあるフラップ１９０の末端を受けるくぼみ又はリップ１８７を含む。くぼみ１８７は、フラップ１９０が空気路１３２の壁と同一面に位置することを可能にし、空気路を通ってファン１９５の空気取り入れ口１２１に入る層状の空気流を確実に得られるようにする。
【００５２】
背１８８とフラップ１９０は、柔軟で弾力のあるベース１９１を介して互いに連結されている。図１０に示す例では、背１８８とフラップ１９０は、それぞれ、ベース１９１の上面に沿って（例えば、二段階オーバーモールド技術により）固定され、小さい隙間１９２で区切られている。ベースに沿った隙間１９２は、背１８８とフラップ１９０が互いにベース１９１の幅に沿った方向に延びる軸１９３周りに回転することを可能にする継手の役割を果たす。いくつかの実施形態では、背１８８及び／又はフラップ１９０は、アクリロニトリルブタジエンスチレン（ＡＢＳ）を含む材料から作られる。いくつかの実施形態では、弾性ベース１９１は、スチレンエチレンブチレンスチレンブロックコポリマー（ＳＥＢＳ）及び／又は熱可塑性エラストマー（ＴＰＥ）を含む材料から作られる。背１８８は、真空シーリング部材１８６を清掃ビン１２２に固定するための取付穴１８９ａ、１８９ｂを含む。例えば、取付穴１８９ａ、１８９ｂのそれぞれを、取付機構１７０に含まれる位置決めピン及び／又はヒートステークボスを受けるように設計しても良い。
【００５３】
図１５Ａ及び１５Ｂは、ファンへの逆方向空気流１２９を遮断する一方向空気流バルブとして、又はファン１９５への逆方向空気流１２９を実質的に詰まらせる制限バルブとしての、真空シーリング部材１８６の動作を説明する図である。図に示されているように、背１８８が取付機構１７０を介して清掃ビン１２２の所定の位置に固定された状態において（図７参照）、真空シーリング部材１８６は空気路１３２に一方向空気流バルブを提供する。真空シーリング部材１８６は、空気路１３２の、ロボット真空部１２０とフィルタ１３０との間の部分での空気の流れを選択的に遮断／阻止するために、ロボット真空部１２０とフィルタ１３０との間に位置する。シーリング部材１８６は、開位置において、フィルタ１３０及び空気取り入れ口１２１の上部と略同一の水平面上に位置する。閉位置に
おいては、フラップ１９０が上方に折れ曲がり、空気路１３２の上壁１３３まで延びる。従って、シーリング部材１８６は、閉位置においては、空気路１３２を完全に遮断するか実質的に制限することで、ロボット真空部１２０をフィルタ１３０から隔離する。具体的には、真空シーリング部材１８６は、空気路１３２において、排出真空部２１２によって作り出される吸引力が、フラップ１９０の背１８８に対する上方回転動作１９４で真空シーリング部材１８６を閉位置まで引っ張るように方向付けられている。図１５Ａに示すように、真空シーリング部材１８６が閉位置にある時、フラップ１９０は空気路１３２を囲う壁と係合し、ロボット真空部１２０の空気取り入れ口１２１においてファン１９５を清掃ビン１２２の内部から実質的に遮断する。こうすることで、ファンを駆動するロボット真空モータは、清掃ビン１２２の排出中における吸引力がモータに抵抗してファン１９５を逆方向に駆動できるようになっている場合に生成され得る逆起電力（ｂａｃｋ−ＥＭＦ）から守られる。更に、ファン１９５は、排出中の吸引力によってファン１９５が異常な高速度で回転できるようになっている場合に起こり得る損傷のリスクから守られる（例えば、そのような高速回転は、摩擦熱によってファンのその場での「スピン溶着」を引き起こす可能性がある）。排出吸引力が取り除かれると、真空シーリング部材１８６は、フラップ１９０の下方回転動作１９６で開位置に移動する。従って、一方向バルブは、ロボット１００が清掃作業を実行している間、空気流の妨害を回避するために開位置にとどまる。
【００５４】
次に図２１を参照して、排出ステーション２００のプラットフォーム２０６は、平行な車輪軌道２１４と、吸引開口２１６と、ロボット適合性センサ２１８とを含む。車輪軌道２１４は、ロボット１００を吸引開口２１６と正確に整列するようにプラットフォーム２０６上に誘導するために、ロボットの駆動車輪１４２ａ、１４２ｂを受けるよう設計されている。車輪軌道２１４のそれぞれは、駆動車輪１４２ａ、１４２ｂを所定の位置に保持してロボット１００がドッキング後に傾斜したプラットフォーム２０６を意図せず滑り降りるのを防止する、落ち込んだ車輪用くぼみ２１５を含む。説明した例では、車輪軌道２１４には、ロボットの駆動車輪１４２ａ、１４２ｂが傾斜したプラットフォーム２０６を顕著なスリップを起こすことなく移動することを可能にする、適切なトレッドパターンが設けられている。反対に、車輪用くぼみ２１５は、ロボット１００が意図せず前進してベース２０８と衝突するのを阻止することを可能にする、駆動車輪１４２ａ、１４２ｂのスリップを引き起こすために、実質滑らかである。しかしながら、いくつかの実施形態では、車輪用くぼみ２１５の後側のリップが、ロボットが排出ステーション２００から離脱する際に駆動車輪１４２ａ、１４２ｂが車輪用くぼみ２１５から「上り」出ることを可能にする、少なくともいくつかのトラクション用特徴（例えばトレッド）を含んでも良い。
【００５５】
図２０に示すようないくつかの実施例では、清掃ビン１２２は、ロボット１００が排出ステーションとドッキングする間傾斜したプラットフォームと係合する、底面に沿った受動的ローラ１９９を含む。受動的ローラ１９９は、傾斜したプラットフォーム２０６を登るためにロボット１００が上方にピッチングする際に、清掃ビン１２２の底がプラットフォーム２０６とこすれるのを防止する。吸引開口２１６は、ロボット１００と排出ステーション２００との間の実質密閉された空気流インターフェースを提供するための、ロボットのローラハウジング１０９と係合する外周シール２２０を含む。この密閉された空気流インターフェースは、排出真空部２１２をロボットの清掃ビン１２２と効果的に流体連通させる。ロボット適合性センサ２１８（模式的に示す）は、ロボット１００が排出ステーション２００との利用に適合しているかを検出するよう設計されている。一例として、ロボット適合性センサ２１８は、ロボットのシャーシ１０２に取り付けられた金属板１９７（図３参照）の存在に応答する誘導性センサを含んでも良い。この例では、製造者、小売業者又はサービススタッフは、ロボット１００が排出ステーション２００との運用に適した装備を備えている場合（例えば、ロボット１００が、清掃ビン１２２の排出を容易にするための上述した一以上の吸引孔及び／又はシーリング部材を備えている場合）に、金属
板１９７をシャーシ１０２に取り付けることができる。他の例では、排出ステーションに適合したロボット１００は、排出ステーション２００によって発信された独自に符号化されたドッキング信号を認識する受信器を備えている。適合していないロボットは、符号化されたドッキング信号を認識せず、ドッキングするための排出ステーション２００のプラットフォーム２０６との整列をしない。
【００５６】
プラットフォーム２０６とベース２０８とを含む排出ステーションのハウジング２０２は、ロボットの清掃ビン１２２から排出された空気及びデブリを排出ステーションデブリキャニスタ２０４に向かわせるための内部配管（不図示）を含む。ベース２０８は、排出真空部２１２（図５Ａ参照）、及び排出真空部２１２の排気側に位置する真空フィルタ２２１（例えばＨＥＰＡフィルタ）も収容する。ここで図２２を参照して、排出ステーション２００のベース２０８は、回避信号発信器２２２ａと、ホーミング及び整列発信器２２２ｂと、キャニスタセンサ２２４と、モータセンサ２２６と、無線通信システム２２７とを担持する。上述したように、ホーミング及び整列発信器２２２ｂは、ロボット１００のシェル１０４に取り付けられた通信モジュール１５６（図２参照）によって検出可能な左及び右ホーミング信号（例えば、光、ＩＲ又はＲＦ信号）を発することができる。いくつかの例では、ロボット１００は、清掃ビン１２２が満杯であるとの判断に応答してホーミング信号を探して検出することができる。ホーミング信号が検出されると、ロボット１００は、ロボット１００を排出ステーション２００と整列させ、プラットフォーム２０６とドッキングさせる。キャニスタセンサ２２４（模式的に示す）は、デブリキャニスタ２０４のベース２０８との連結及びベース２０８からの脱離に応答する。例えば、キャニスタセンサ２２４は、デブリキャニスタ２０４のベース２０８との連結によって作動する接触スイッチ（例えば、磁気リードスイッチ又はリードリレー）を含んでも良い。他の例では、ベース２０８は、ベース２０８に含まれる内部配管の一部がキャニスタ２０４に含まれる内部配管の一部といつ結合したかを検出するよう構成された光センサを含んでも良い。更に別の例では、ベース２０８とキャニスタ２０４とが、電気コネクタで結合する。排出を開始できるよう、機械的、光学的又は電気的結合がキャニスタ２０４の存在を知らせる。キャニスタセンサ２２４によってキャニスタ２０４の存在が検出されない場合、排出真空部２１２は作動しない。モータセンサ２２６（模式的に示す）は、排出真空部２１２の作動に応答する。例えば、モータセンサ２２６は、排出真空部２１２のモータ電流に応答しても良い。モータセンサ２２６からの信号は、真空フィルタ２２１の交換が必要かを判断するのに用いることができる。例えば、モータ電流の上昇は、真空フィルタ２２１が詰まっていて清掃又は交換が必要であることを示している可能性がある。そのような判断に応答して、真空フィルタの状態の視覚的な表示をユーザに提供することができる。米国特許出願公開第２０１４／０２０７２８２号（参照することによりその全体が本明細書に組み込まれる）に説明されているように、無線通信システム２２７は、適切なワイヤレスネットワーク（例えば、ワイヤレスローカルエリアネットワーク）を通した、一以上の携帯機器（例えば、図２４Ａ−２４Ｄに示す携帯機器３００）への排出ステーション２００の状態を説明する情報の伝達を容易にする。
【００５７】
図１に戻り、排出ステーション２００は、更に、デブリキャニスタ２０４内にあるデブリの量を検出するためのキャニスタ検出システム２２８（模式的に示す）を含む。ビン検出システム１５４と同様に、キャニスタ検出システム２２８は、キャニスタ満杯信号を生成するよう設計することができる。キャニスタ満杯信号は、デブリキャニスタ２０４の充満状態を示しても良い。いくつかの例では、充満状態は、デブリで満たされていると判断されるデブリキャニスタ２０４の割合で表現することができる。いくつかの実施形態では、キャニスタ検出システム２２８は、マイクロコントローラと連結されたデブリセンサを含むことができる。マイクロコントローラは、デブリセンサからのフィードバックに基づいてデブリキャニスタ２０４内のデブリの量を判断するよう構成（例えば、プログラム）することができる。デブリセンサは、デブリの量を検出するためにキャニスタの側壁に配
置された超音波センサであっても良い。他の例では、デブリセンサは、デブリの存在又は量を検出するためにキャニスタ２０４の横又は上に配置された光センサであっても良い。更に他の例では、デブリセンサは、デブリキャニスタ２０４を通る空気流のインピーダンスの変化、あるいはデブリキャニスタ２０４を通る空気流の圧力又は風速の変化を検出するためにキャニスタ２０４に配置された機械式センサである。他の例では、デブリセンサは、キャニスタ２０４が満たされ、空気流がデブリの蓄積によって次第に妨げられると上昇する、排出真空部２１２のモータ電流の変化を検出する。測定されるこれら全ての特性は、キャニスタ２０４を充たすデブリの存在によって変化する。他の例では、キャニスタ２０４は、デブリが最大量蓄積すると発動する機械的スイッチを含んでも良い。更に別の例では、排出ステーション２００は、清掃ビン１２２からの排出回数を監視し、最大ビン容量（又はビンの平均デブリ量）に基づいて、排出ステーションデブリキャニスタ２０４が最大充満量に達するまでの残り排出可能回数を計算する。いくつかの例では、キャニスタ２０４は、その中に、排出真空部２１２の上に吊り下げられたデブリ収集袋（不図示）を収容しており、排出真空部２１２は収集袋を通して空気を下方に引き込む。
【００５８】
図２３に示すように、ロボット適合性センサ２１８、キャニスタセンサ２２４、モータセンサ２２６、及びキャニスタ検出システム２２８は、ステーションコントローラ回路２３０と通信可能に連結されている。ステーションコントローラ回路２３０は、各装置からのフィードバックに基づいて排出ステーション２００を操作するよう構成（例えば、適切に設計及びプログラム）されている。ステーションコントローラ回路２３０は、プロセッサ２３４によって処理されるデータ及び指示を保持するメモリユニット２３２を含む。プロセッサ２３４は、プログラム命令及びフィードバックデータをメモリユニット２３２から受け取り、プログラム指示により要求される論理演算を実行し、排出ステーション２００の様々な構成要素（例えば、排出真空部２１２、回避信号発信器２２２ａ、ホーミング及び整列発信器２２２ｂ、及び無線通信システム２２７）を操作するためのコマンド信号を生成する。入力／出力ユニット２３６は、コマンド信号を発信し、上述した様々な構成要素からのフィードバックを受信する。
【００５９】
いくつかの例では、ステーションコントローラ回路２３０は、ロボット適合性センサ２１８から受信した信号に応答して排出ステーション２００の作動を開始するよう構成されている。更に、いくつかの例では、ステーションコントローラ回路２３０は、キャニスタ検出システム２２８から受信した、デブリキャニスタ２０４がほぼ又は完全に満杯であることを示す信号に応答して、排出真空部２１２の作動を停止させる又は防止するよう構成されている。また、更に、いくつかの例では、ステーションコントローラ回路２３０は、モータセンサ２２６から受信した、排出真空部２１２のモータ電流を示す信号に応答して、排出真空部２１２の作動を停止させる又は防止するよう構成されている。ステーションコントローラ回路２３０は、モータ電流信号に基づいて、真空フィルタ２２１の作動状態を推定することができる。上述したように、信号が異常に高いモータ電流を示している場合、ステーションコントローラ回路２３０は、真空フィルタ２２１が汚れているため排出真空部２１２を再作動させる前に真空フィルタ２２１の清掃又は交換が必要であると判断することができる。
【００６０】
いくつかの例では、ステーションコントローラ回路２３０は、無線通信システム２２７を操作して、ロボット適合性センサ２１８、キャニスタセンサ２２４、モータセンサ２２６、及び／又はキャニスタ検出システム２２８からのフィードバック信号に基づいて、適切な携帯機器（例えば、図２４Ａ−２４Ｄに示す携帯機器３００）に排出ステーション２００の状態を説明する情報を伝達するよう構成されている。いくつかの例では、適切な携帯機器は、数ある構成要素の中でも、一以上のプロセッサ、ソフトウェアアプリケーションを保存するコンピュータ可読媒体、入力装置（例えば、キーボード、タッチ画面、マイク等）、出力装置（例えば、表示画面、スピーカ等）、及び通信インターフェースを含む
、あらゆる種類の携帯型演算装置（例えば、携帯電話、スマートフォン、ＰＤＡ、タブレット型コンピュータ、腕に装着する演算装置、又はその他の携帯型装置）が可能である。
【００６１】
図２４Ａ−２４Ｄに図示した例では、携帯機器３００は、スマートフォンの形で提供されている。図に示すように、携帯機器３００は、ステーションコントローラ回路２３０（図２３参照）から受信した状態情報を表示画面３０２に表示するソフトウェアアプリケーションを実行するよう動作する。図２４Ａでは、デブリキャニスタ２０４の充満状態の表示が、キャニスタ検出システム２２８によって判断された、キャニスタのデブリで充たされた割合で表示画面３０２に表示されている。この例では、充満状態の表示は、テキストユーザインターフェース要素３０６及びグラフィックユーザインターフェース要素３０８の両方で表示画面３０２に提供されている。同様に、図２４Ｂでは、真空フィルタ２２１の作動状態が、テキストユーザインターフェース要素３１０で表示画面３０２に表示されている。上述した例では、携帯機器３００によって実行されるソフトウェアアプリケーションは、ユーザに排出ステーション２００のメンテナンスが必要であるという警報タイプの表示を提供するものとして図示及び説明をした。しかしながら、いくつかの例では、ソフトウェアアプリケーションは、所定の時間間隔で最新の状態を提供するよう構成しても良い。更に、いくつかの例では、ステーションコントローラ回路２３０は、携帯機器３００がいつネットワークに入ったかを検出し、この検出に応答して表示画面３０２に表示するべき一以上の構成要素の最新の状態をソフトウェアアプリケーションによって提供しても良い。図２４Ｃでは、表示画面３０２は、ロボット１００の排出完了状態及び清掃が再開されたことのユーザへの通知を示すテキストユーザインターフェース要素３１２を提供する。図２４Ｄでは、表示画面３０２は、内部にデブリを収集するための使い捨てバッグを有する排出ステーションデブリキャニスタ２０４の一実施形態用の新しいデブリバッグを注文するための一以上の「ワンクリック」選択肢３１４を提供する。更に、説明した例では、テキストユーザインターフェース要素３１６は、対応するオンライン販売会社名と共に表示された一以上の価格の選択肢を提示する。また、更に、ソフトウェアアプリケーションは、例えば米国特許出願公開第２０１４／０２０７２８２号で図示及び説明されているもののような、ユーザによる排出ステーション２００又はロボット１００の制御を可能にする、他の様々なタイプのユーザインターフェース画面及び要素を提供するよう動作可能であっても良い。
【００６２】
説明を目的としていくつかの例を説明したが、上記説明は、特許請求の範囲で規定する発明の範囲を限定することを意図したものではない。以下の請求項の範囲内にある他の例及び変形例が存在する／存在し得る。
【００６３】
更に、明細書及び請求項を通して用いられている「前」、「後」、「上端」、「底」、「上」、及び「下」といった用語の使用は、本明細書で開示して説明したシステム、装置、及びその他の要素における様々な構成要素の相対位置を説明するためのものである。同様に、要素を説明するための水平又は垂直という用語の使用は、本明細書で説明するシステム及び他の要素の様々な構成要素の相対方向を説明するためのものである。明示的に言及しない限り、これらの用語の使用は、システム、装置、及びその他の要素が作動中、製造中及び搬送中に置かれ得る地球の重力、地球の地面、又は他の特定の位置又は方向に対するシステム又はその他の構成要素の特定の位置又は方向を意味するものではない。
【図１】
2020168428.tif 000003
【図２】
2020168428.tif 000004
【図３】
2020168428.tif 000005
【図４】
2020168428.tif 000006
【図５Ａ】
2020168428.tif 000007
【図５Ｂ】
2020168428.tif 000008
【図６】
2020168428.tif 000009
【図７】
2020168428.tif 000010
【図８】
2020168428.tif 000011
【図９】
2020168428.tif 000012
【図１０】
2020168428.tif 000013
【図１１】
2020168428.tif 000014
【図１２】
2020168428.tif 000015
【図１３】
2020168428.tif 000016
【図１４】
2020168428.tif 000017
【図１５Ａ】
2020168428.tif 000018
【図１５Ｂ】
2020168428.tif 000019
【図１６】
2020168428.tif 000020
【図１７】
2020168428.tif 000021
【図１８】
2020168428.tif 000022
【図１９】
2020168428.tif 000023
【図２０】
2020168428.tif 000024
【図２１】
2020168428.tif 000025
【図２２】
2020168428.tif 000026
【図２３】
2020168428.tif 000027
【図２４Ａ】
2020168428.tif 000028
【図２４Ｂ】
2020168428.tif 000029
【図２４Ｃ】
2020168428.tif 000030
【図２４Ｄ】
2020168428.tif 000031
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
移動型床清掃ロボットの清掃ビンからデブリを排出させるよう構成された排出ステーションを備えるロボット床清掃システムであって、
前記排出ステーションが、
デブリキャニスタと、
吸引開口が規定されたプラットフォームであって、前記移動型床清掃ロボットの開口が前記吸引開口と整列する位置に前記移動型床清掃ロボットを受けるよう配置されたプラットフォームと、
デブリを前記清掃ビンから前記吸引開口を通して前記デブリキャニスタの中に引き込むよう構成されたように構成された排出真空部と、
前記デブリキャニスタ内にあるデブリの量を検出するよう構成されたデブリセンサと、
前記移動型床清掃ロボットの前記清掃ビンからデブリを排出するために開始された排出動作の回数を携帯型演算装置に表示させるために、前記移動型床清掃ロボットの前記清掃ビンからデブリを排出するために開始された排出動作の回数を示す情報を前記携帯型演算装置に伝達するよう構成された無線通信システムと、
を備える、ロボット床清掃システム。
【請求項２】
前記ロボット床清掃システムが、前記移動型床清掃ロボットをさらに備え、
前記移動型床清掃ロボットが、
清掃中に前記移動型床清掃ロボットによって取り込まれたデブリを受けるよう配置された前記清掃ビンと、
デブリを床面から前記清掃ビンの中に取り込むための空気流を生成するよう構成されたロボット真空部と、
を備え、
前記排出真空部が、前記清掃ビンを通過して前記吸引開口を通って前記排出ステーションの前記デブリキャニスタの中へ向かう逆方向空気流を生成するように構成されており、前記逆方向空気流が前記清掃ビンからデブリを運ぶ、請求項１に記載のロボット床清掃システム。
【請求項３】
前記ロボット真空部が、デブリを床面から前記移動型床清掃ロボットの前記開口を通って取り込むための前記空気流を生成するように構成されている、請求項２に記載のロボット床清掃システム。
【請求項４】
前記排出ステーションは、前記清掃ビンのベースに近接して配置された金属板に応答するロボット適合性センサを更に備える、請求項１に記載のロボット床清掃システム。
【請求項５】
前記ロボット適合性センサは誘導性検出要素を含む、請求項４に記載のロボット床清掃システム。
【請求項６】
前記デブリキャニスタ内にあるデブリの検出量に基づいて、前記デブリキャニスタのデブリで充たされている容積の割合で前記デブリキャニスタの充満状態を判断するよう構成されたコントローラを更に備え、前記無線通信システムは、前記割合を示す表示を前記携帯型演算装置に表示させるように更に構成されている、請求項１に記載のロボット床清掃システム。
【請求項７】
前記デブリセンサは、
前記デブリキャニスタ内のデブリの量を検出するための超音波センサ、
前記デブリキャニスタ内のデブリの量を検出するための光センサ、
前記排出真空部によって引き込まれた空気の圧力の変化を検出するための空気流インピーダンスセンサ、
前記デブリキャニスタが既定の量のデブリを受けることに応答する機械式スイッチ、及び、
前記排出真空部のモータ電流の変化を検出するように構成されたモータ電流センサ
のうちの少なくとも１つを備える、請求項１に記載のロボット床清掃システム。
【請求項８】
前記排出真空部のモータ電流の変化を検出するように構成されたモータ電流センサと、
検出されたモータ電流の変化に基づいて排出ステーションフィルタの作動状態を判断するように構成されたコントローラと
を更に備え、
前記無線通信システムは、前記排出ステーションフィルタの作動状態のステータス表示を前記携帯型演算装置に表示させるように更に構成されている、請求項１に記載のロボット床清掃システム。
【請求項９】
前記デブリキャニスタが満杯になるまでに開始できる可能性のある排出動作の回数を計算するように構成されたコントローラを更に備え、前記無線通信システムは、可能性のある排出動作の回数のステータス表示を前記携帯型演算装置に表示させるように更に構成されている、請求項１に記載のロボット床清掃システム。
【請求項１０】
前記無線通信システムは、前記排出ステーションのメンテナンスが必要であることを示す警報を前記携帯型演算装置に表示させるように更に構成されている、請求項１に記載のロボット床清掃システム。
【請求項１１】
前記無線通信システムは、前記移動型床清掃ロボットの排出完了状態を示す警報を前記携帯型演算装置に表示させるように更に構成されている、請求項１に記載のロボット床清掃システム。
【請求項１２】
前記デブリキャニスタが使い捨てデブリ収集バッグを備え、
前記無線通信システムは、新しいデブリ収集バッグを注文するための１つ又は複数のユーザ選択肢を前記携帯型演算装置に表示させるように更に構成されている、請求項１に記載のロボット床清掃システム。
【請求項１３】
前記移動型床清掃ロボットの前記開口は、前記前記移動型床清掃ロボットの底面にあり、
前記デブリキャニスタは、前記排出真空部の上に配置され、
前記デブリセンサが、前記デブリキャニスタの外側に配置されている、請求項１に記載のロボット床清掃システム。
【請求項１４】
移動型床清掃ロボットのための排出ステーションを作動させる方法であって、
排出動作を開始して、前記移動型床清掃ロボットが前記排出ステーションにドッキングされたときに、デブリを前記移動型床清掃ロボットの清掃ビンから前記排出ステーションのデブリキャニスタの中に引き込むための空気流を生成することと、
前記排出ステーションの前記デブリキャニスタ内にあるデブリの量を検出することと、
前記移動型床清掃ロボットの清掃ビンからデブリを排出するために開始された排出動作の回数を携帯型演算装置に表示させるために、前記移動型床清掃ロボットの前記清掃ビンからデブリを排出するために開始された排出動作の回数を示す情報を、前記移動型床清掃ロボットの無線通信システムから前記携帯型演算装置にワイヤレスで送信することと、
を含む方法。
【請求項１５】
前記排出ステーションの排出真空部のモータ電流の変化を検出することと、
検出されたモータ電流の変化に基づいて排出ステーションフィルタの作動状態を判断することと、
前記排出ステーションフィルタの作動状態を前記携帯型演算装置に表示させるために、前記排出ステーションフィルタの作動状態を示す情報を前記携帯型演算装置にワイヤレスで送信することと、
を更に含む、請求項１４に記載の方法。
【請求項１６】
前記デブリキャニスタが満杯になるまでに開始できる可能性のある排出動作の回数を計算することと、
可能性のある排出動作の回数を前記携帯型演算装置に表示させるために、可能性のある排出動作の回数を示す情報を前記携帯型演算装置にワイヤレスで送信することと
を更に含む、請求項１４に記載の方法。
【請求項１７】
前記排出ステーションのメンテナンスが必要であることを示す警報を前記携帯型演算装置に表示させることを更に含む、請求項１４に記載の方法。
【請求項１８】
前記移動型床清掃ロボットの排出完了状態を示す警報を前記携帯型演算装置に表示させることを更に含む、請求項１４に記載の方法。
【請求項１９】
新しいデブリ収集バッグを注文するための１つ又は複数のユーザ選択肢を前記携帯型演算装置に表示させることを更に含む、請求項１４に記載の方法。
【外国語明細書】
2020168428000001.pdf